(57)【特許請求の範囲】
【請求項１】
紙層と感圧接着剤層の積層体からなる帳票を、折目線にて前記感圧接着剤層が内面となるように２つ折りして加圧し、前記感圧接着剤層にて剥離可能に接着した構成の見開き葉書において、前記折目線が前記帳票の前記紙層側から設けられた破線状のハーフカットにより形成されていることを特徴とする見開き葉書。
【発明の詳細な説明】
【０００１】
【産業上の利用分野】
本発明は見開き葉書に関する。
【０００２】
【従来の技術】
従来、見開き葉書は紙層と感圧接着剤層の積層体からなる連続帳票を使用し、ノンインパクトプリンターを使用して個人情報等の可変情報を帳票の所定欄に印字した後に、感圧接着剤層を内側にして２つ折りしてカツトした後加圧し剥離可能に接着して見開き葉書とする工程で作製されていたが、最近では、見開き葉書の両面に個人情報等の可変情報を印字することが増えてきており、連続帳票では片面印字しかできないため、同一帳票を表裏２回通さなければならず手間が掛かるとともに、可変情報が表裏一致しないという危険性もあるので、見開き葉書２枚分からなるＡ４サイズにカツトされた枚葉の帳票を使用して、個人情報等の可変情報を両面に印字した後、２つ折りしてからカツトし加圧して剥離可能に接着して見開き葉書にする方法が普及してきている。
【０００３】
見開き葉書を作製するための枚葉の帳票には、後処理機での折り込み精度を良くするために中央部に折目線が貫通ミシン目により形成されている。貫通ミシン目の場合、図４（イ）に示すように紙層１面から切刃５にて貫通ミシン目を設けるにしても、図４（ロ）に示すように感圧接着剤層２面から貫通ミシン目を設けるにしても、いずれの場合においても貫通ミシン目の周縁部にて感圧接着剤が部分的に小さい固まり状に剥離してくるため、上記の貫通ミシン目からなる折目線が形成された枚葉の帳票をプリンターに給紙して印字する際に、帳票が搬送ローラーや搬送ベルトで摩擦されるので、貫通ミシン目の孔の周辺部に付着した感圧接着剤の小さい固まりがプリンターの感光体ドラム表面に付着する結果、印字が完了した帳票表面に斑点状の汚れとなつて現れるという欠点があつた。
【０００４】
【発明が解決しようとする課題】
本発明は、上記欠点を改良して、枚葉紙からなる見開き葉書用の帳票の折り込み精度を落とすことなく、プリンターにより印字する際に、感圧接着剤の小さい固まりが付着せず、印字に際して斑点状の汚れが発生しない見開き葉書を提供することである。
【０００５】
【課題を解決するための手段】
紙層と感圧接着剤層の積層体からなる帳票を、折目線にて前記感圧接着剤層が内面となるように２つ折りして加圧し、前記感圧接着剤層にて剥離可能に接着した構成の見開き葉書において、前記折目線が前記帳票の前記紙層側から設けられた破線状のハーフカットにより形成されていることを特徴とする見開き葉書である。
【０００６】
【作用】
紙層と感圧接着剤層の積層体からなる見開き葉書用の帳票における折目線を、紙層面から設けられたハーフカツトにより形成することにより、感圧接着剤層を貫通する孔が形成されることがないので、プリンターで印字する際に帳票が搬送された場合においても感圧接着剤の小さい固まりが帳票表面に付着することがなく印字の際に汚れが発生しなくなる。
【０００７】
【実施例】
以下、図面を引用して本発明を説明する。
図１は本発明の見開き葉書を示す図で、（イ）は平面図、（ロ）は（イ）におけるＩ−Ｉ断面図、図２は見開き葉書用の枚葉帳票を示す図で、（イ）は宛名情報等印字面の平面図、（ロ）は（イ）におけるＩ−Ｉ断面図、（ハ）は隠ぺい情報印字面の平面図、図３は見開き葉書用の帳票にハーフカツトを形成する状態を示す断面図、図４は従来の見開き葉書用の帳票に貫通ミシン目を形成する状態を示す断面図であり、１は紙層、２は感圧接着剤層、３は折目線、４はハーフカツト、５は切刃、６は隠ぺい情報印字欄をそれぞれ表す。
【０００８】
本発明の見開き葉書は図１に示すように、紙層１と感圧接着剤層２の積層体からなる帳票を、折目線３にて前記感圧接着剤層を内側にして２つ折りし加圧接着した構成であり、接着面を引き剥がすことにより葉書が開き感圧接着剤層２面に印字されている個人情報を読むことができるように構成されている。折目線３は紙層１側から設けられた線状ないしは破線状のハーフカツト４により形成されている。ハーフカツト４の目的は帳票を折り曲げ易くするためのものであるため、ハーフカツト４の深さは紙層１の半分以上の深さに達するように設けるのが好ましい。
【０００９】
本発明の見開き葉書用の帳票は図２に示すように、見開き葉書を開いた状態で上下方向に２枚連接したＡ４サイズの大きさの枚葉の帳票が一般的である。帳票の表面は（イ）に示すように、宛名情報等印字面の紙層１には宛名欄を含む葉書およびメツセージ等の固定情報が印刷されており、（ロ）に示すように中央部の上下方向に紙層１面から設けられた破線状のハーフカツト４からなる折目線３が形成されている。帳票の隠ぺい情報印字面は感圧接着剤層２であり（ハ）に示すように隠ぺい情報印字欄６が設けられている。
【００１０】
ハーフカツト４の形状は、連続の線状ないしは破線状のいずれでもよい。連続の線状のハーフカツト４の場合は折目線３にて帳票を折り曲げ易いがハーフカツト４部にて紙層１が層間で剥離するおそれがある。破線状のハーフカツト４の場合はハーフカツト４部にて紙層１が層間で剥離することがない。破線状のハーフカツト４の場合、切れ目の長さと切れ目のない部分の長さの比率は１：１〜５：１の範囲で選定するのが好ましい。図３に示すように、切刃５の先端が紙層１の厚さの１／２〜２／３の深さに達するように調整して、感圧接着剤層２に達しない範囲でハーフカツト４を設けるようにする。
【００１１】
本発明の見開き葉書の製造方法は、紙層１と感圧接着剤層２を積層したロール状の原反を使用して紙層１面にメツセージ等の固定情報および宛名欄を含む葉書を、また感圧接着剤層２面には隠ぺい情報印字欄６等をオフセツト方式等により印刷した後、折目線３に沿つて線状ないしは破線状のハーフカツト４を設ける。ハーフカツト４を設けるにはハーフカツト４を形成するための切刃５を埋め込んだダイロールを使用して印刷とインラインで連続で行うのが普通である。その後印刷及びハーフカツトが設けられた原反を所定位置でカツトして見開き葉書が２枚連接された枚葉帳票を作製する。次いで、シートフイーダー付きの両面プリンターを使用して枚葉帳票の表面の宛名欄に送付先を印字すると同時に、裏面の隠ぺい情報印字欄６に個人情報を印字する。次いで、印字が完了した枚葉帳票を感圧接着剤層２を内面にしてハーフカツト４からなる折目線３で２つ折りして、上下方向の中央部でカツトした後加圧接着して見開き葉書を完成させる。
【００１２】
【発明の効果】
紙層と感圧接着剤層の積層体からなる帳票を、紙層側からのハーフカツトにより形成された折目線にて、感圧接着剤層が内面となるように２つ折りして加圧し剥離可能に接着した構成の見開き葉書とすることにより、折目線が紙面から設けられたハーフカツトにより形成されており感圧接着剤層を貫通する孔が形成されないので、ハーフカツト部にて感圧接着剤が部分的に剥離してくることがなく、プリンターのローラーにより帳票が摩擦された場合でも感圧接着剤の固まりが表面に付着することがないので印字の際の汚れが発生しない。
【図面の簡単な説明】
【図１】本発明の見開き葉書を示す図で、（イ）は平面図、（ロ）は（イ）におけるＩ−Ｉ断面図。
【図２】見開き葉書用の枚葉帳票を示す図で、（イ）は宛名情報等印字面の平面図、（ロ）は（イ）におけるＩ−Ｉ断面図、（ハ）は隠ぺい情報印字面の平面図。
【図３】見開き葉書用の帳票にハーフカツトを形成する状態を示す断面図。
【図４】従来の見開き葉書用の帳票に貫通ミシン目を形成する状態を示す断面図。
【符号の説明】
１  紙層
２  感圧接着剤層
３  折目線
４  ハーフカツト
５  切刃
６  隠ぺい情報印字欄
【図１】
0003827745.tif 000002
【図３】
0003827745.tif 000003
【図４】
0003827745.tif 000004
【図２】
0003827745.tif 000005